(57)【要約】【課題】空気清浄機やエアコンディショナー等に使用されるイオン発生装置、静電霧化装置の消臭、除菌性能の改善を目的とする。【解決手段】放電によりイオン或いはイオンミストを発生させる電極１２の周囲に高酸素濃度空気を送る供給手段を設け、酸素濃度の高い雰囲気で放電させることによりイオン或いはイオンミストの発生量を増やす。そして高酸素濃度空気の供給手段として酸素富化装置３を用いれば、安価に高酸素濃度空気が得られる。【選択図】図１
2009123564.tif 000002
【特許請求の範囲】
【請求項１】
電圧が印加され、放電によりイオンを発生させる電極を備えたイオン発生装置において、高酸素濃度空気を前記電極の周囲に送る供給手段を有することを特徴とする
イオン発生装置。
【請求項２】
前記供給手段は、酸素富化装置であることを特徴とする
請求項１に記載のイオン発生装置。
【請求項３】
前記酸素富化装置は、空気中の水分の富化手段を具備していることを特徴とする
請求項２に記載のイオン発生装置。
【請求項４】
前記酸素富化装置は、一置換ポリジフェニルアセチレン、二置換ポリジフェニルアセチレン、またはポリオルガノシロキサンあるいはその誘導体、またはポリ４−メチルペンテンあるいはその誘導体、またはポリトリメチルシリルプロピンあるいはその誘導体の何れかを主成分とする気体選択膜を具備していることを特徴とする
請求項３に記載のイオン発生装置。
【請求項５】
電圧が印加され、放電により帯電微粒子水を発生させる電極と、当該電極の先端部に水を供給する水供給手段とを備えた静電霧化装置において、
高酸素濃度空気を前記電極の周囲に送る供給手段を有することを特徴とする
静電霧化装置。
【請求項６】
前記供給手段は、酸素富化装置であることを特徴とする
請求項５に記載の静電霧化装置。
【請求項７】
前記酸素富化装置は、空気中の水分の富化手段を具備していることを特徴とする
請求項６に記載の静電霧化装置。
【請求項８】
前記酸素富化装置は、一置換ポリジフェニルアセチレン、二置換ポリジフェニルアセチレン、またはポリオルガノシロキサンあるいはその誘導体、またはポリ４−メチルペンテンあるいはその誘導体、またはポリトリメチルシリルプロピンあるいはその誘導体の何れかを主成分とする気体選択膜を具備していることを特徴とする
請求項７に記載の静電霧化装置。
【請求項９】
酸素富化装置と、この酸素富化装置に繋がる送風路と、この送風路に設けられ、電極を有するイオン発生部とを備え、前記イオン発生部は、酸素富化された空気が通過する送風路内に設けられていることを特徴とする
空調装置。
【請求項１０】
前記送風路の前記イオン発生部より下流側の前記送風路が、エバポレータより下流の空調空気が通過する送風路に合流していることを特徴とする
請求項９に記載の空調装置。
【請求項１１】
前記酸素富化装置は、居室外の空気を取り込み酸素富化させることを特徴とする
請求項９または１０に記載の空調装置。
【請求項１２】
酸素富化装置と、この酸素富化装置に繋がる送風路と、この送風路に設けられ、電極の先端部の水に電圧を印加する静電霧化部とを備え、前記静電霧化部は、酸素富化された空気が通過する送風路内に設けられていることを特徴とする
空調装置。
【請求項１３】
前記送風路の前記静電霧化部より下流側の前記送風路が、エバポレータより下流の空調空気が通過する送風路に合流していることを特徴とする
請求項１２に記載の空調装置。
【請求項１４】
前記酸素富化装置は、居室外の空気を取り込み酸素富化させることを特徴とする
請求項１２または１３に記載の空調装置。
【発明の詳細な説明】
【技術分野】
【０００１】
本発明は、空気中で電極間に高電圧を印加し放電させることでイオンやイオンミストを発生させる、イオン発生装置および静電霧化装置に関するものである。
【背景技術】
【０００２】
近年、健康意識や衛生意識が高まり、マイナスイオンが、人体に良い影響があるということや脱臭、除菌に有効であるということで注目されている。
このマイナスイオンは、人工的には、気体中で放電電極に高電圧を印加して放電を起こさせたり、或いは放電電極とこの放電電極に対向して位置するように設けた対向電極との間に高電圧を印加して放電を起こさせ、放電電極から飛び出した電子を放電空間に存在する気体に付着させてイオン化し得られるものである。
【０００３】
通常はこの放電を空気中で起こし、空気中の酸素をオキシイオン（以下Ｏ２イオン）やヒドロキシイオン（以下ＯＨイオン）等のマイナスイオンにするようにしたもので、通常は空気中の水と結合することでイオンの状態を保っているもので、エアコンディショナー、ヘアードライヤー、空気清浄機等さまざまな商品に備えられるようになってきた。
【０００４】
また、上記のようなＯ２イオンやＯＨイオンよりも、より脱臭や除菌に効果があるとされる、スーパーオキサイド（以下Ｏ２ラジカル）やヒドロキシラジカル（以下ＯＨラジカル）等のラジカルを脱臭や除菌に使う技術も実用化されている。それは、放電電極の放電部に水を存在させ、高電圧の印加によって水を帯電霧化させ、この霧化された水の帯電微粒子で放電によって発生したラジカル状態のスーパーオキサイドやヒドロキシルラジカルを包み込みマイナスイオンミストとする静電霧化技術である。この静電霧化技術によって得られたマイナスイオンミストは、寿命が短いラジカルを水の帯電微粒子で包み込むことによってその寿命を延ばすことが出来るので、ラジカルが臭気や菌に接触する機会が増え、その結果、脱臭や除菌効果を向上させることが出来るというものである。
【０００５】
このような従来の技術としては、例えば特許文献１に記載されたものが知られている。
【特許文献１】特開２００４−０３１１４５号公報
【発明の開示】
【発明が解決しようとする課題】
【０００６】
しかしながら、マイナスイオンは消臭、除菌能力が弱いために、十分な消臭、除菌効果が得られないことから、消臭、除菌性能を向上させる技術が、またラジカルを水の微粒子で包み込んだマイナスイオンミストでも、マイナスイオンに比べて消臭、除菌能力が大きいものの、更に消臭、除菌性能を向上させる技術が求められている。
【０００７】
本発明は、上記従来の課題を解決するためのものであり、消臭や除菌性能を向上させたイオン発生装置および静電霧化装置を提供することを目的とするものである。
【課題を解決するための手段】
【０００８】
上記課題を解決するために本発明は、電圧が印加され、放電によりイオンを発生させる電極を備えたイオン発生装置において、高酸素濃度空気を前記電極の周囲に送る供給手段を有することとした。
【０００９】
また本発明は、電圧が印加され、放電により帯電微粒子水を発生させる電極と、当該電極の先端部に水を供給する水供給手段とを備えた静電霧化装置において、高酸素濃度空気を前記電極の周囲に送る供給手段を有することとした。
【００１０】
また本発明は、酸素富化装置と、この酸素富化装置に繋がる送風路と、この送風路に設けられた電極を有するイオン発生部とを備え、前記イオン発生部は、酸素富化された空気が通過する送風路内に設けられている空調装置とした。
【００１１】
また本発明は、酸素富化装置と、この酸素富化装置に繋がる送風路と、この送風路に設けられた電極を有する静電霧化部とを備え、前記静電霧化部は、酸素富化された空気が通過する送風路内に設けられている空調装置とした。
【発明の効果】
【００１２】
本発明のイオン発生装置によれば、放電によりイオンを発生させる電極の周囲に高酸素濃度空気を送ることによって、放電が高酸素濃度空気中で行われ、通常の空気中で放電を行う場合に比べて、より多くのＯ２イオンやＯＨイオンを発生させることができる。このように、マイナスイオンの量を増やすことによってイオン発生装置の消臭、除菌性能を改善するという効果が得られる。
【００１３】
また、本発明の静電霧化装置によれば、放電により帯電微粒子水を発生させる電極の周囲に高酸素濃度空気を送ることによって放電が高酸素濃度空気中で行われ、通常の空気中で放電を行う場合に比べて、Ｏ２ラジカルやＯＨラジカルを水の微粒子で包み込んだマイナスイオンミストをより多く発生させることができる。このようにマイナスイオンミストの量を増やすことによって、静電霧化装置の消臭、除菌性能を改善するという効果が得られる。
【００１４】
また、本発明の空調装置によれば、電極を有するイオン発生部を高酸素濃度空気が通過する送風路内に設けることによって、放電が高酸素濃度空気中で行われ、通常の空気中で放電を行う場合に比べて、より多くのＯ２イオンやＯＨイオンを発生させることができる。このように、マイナスイオンの量を増やすことによって空調装置の消臭、除菌性能を改善するという効果が得られる。
【００１５】
また、本発明の空調装置によれば、電極を有する静電霧化部を高酸素濃度空気が通過する送風路内に設けることによって放電が高酸素濃度空気中で行われ、通常の空気中で放電を行う場合に比べて、Ｏ２ラジカルやＯＨラジカルを包み込んだより多くのマイナスイオンミストを発生させることができる。このようにマイナスイオンミストの量を増やすことによって空調装置の消臭、除菌性能を改善するという効果が得られる。
【発明を実施するための最良の形態】
【００１６】
以下、本発明の実施の形態について図面を参照しながら説明する。
（実施の形態１）
図１は実施の形態１のイオン発生装置１の構成を示す図、図２は実施の形態１のイオン発生部２を示す断面図、図３は酸素富化装置３の構成を示す図である。
【００１７】
図１において、酸素富化装置３には、この酸素富化装置３に取り込まれる空気が通過する送風路４と、この酸素富化装置３によって酸素濃度が高められた空気が通過する送風路５とが接続されている。そして高酸素濃度空気が通過する送風路５内には図２に示すイオン発生部２が設けられ、このイオン発生部２には電極１２が設けられ、高酸素濃度空気中でこの電極１２に電圧印加部ＨＶから高電圧を印加し、この電極１２に対向して位置するように設けられた対向部１６との間で放電するようにしたものである。
【００１８】
詳しく説明すると、酸素富化装置３は、図３に示すように気体選択膜２１が収められたユニット２２と、このユニット２２に接続された真空ポンプ２３と、新鮮な空気を送風路４から取り込み、気体選択膜２１の表面に供給するためのファン２４とから構成されている。そして真空ポンプ２３によって減圧吸引することで、ユニット２２内で、気体選択膜２１の図面左側の表面の空気が気体選択膜２１の図面右側表面へ透過し、このときに酸素濃度が高められ、高酸素濃度空気として真空ポンプ２３の吐出口２５に繋がった送風路５に送り込まれる。
【００１９】
気体選択膜２１の材料としては、一置換ポリジフェニルアセチレンを主成分としたものとし、これを多孔質の支持体の表面に薄膜状に形成したものとする。これによって、酸素濃度が約３０％の高酸素濃度空気が得られる。
【００２０】
次にイオン発生部２について詳しく説明する。イオン発生部２は、図２に示すように、電極１２とこの電極１２に対向する位置に設けられた対向部１６と支持枠１５から構成されている。電極１２は、アルミニウムや銅、チタン、タングステン、ステンレス等の電導性の高い材料を用いてその主体部１１が円柱状を成すように形成されたものであり、主体部１１の先に尖鋭形状の先端部１３を形成し、基端側には支持枠１５に固定するための主体部１１よりも大径の挟持部１４が形成されている。対向部１６は電極１２と同様のアルミニウムや銅、チタン、タングステン、ステンレス等の電導性の高い材料を用いてリング状に形成されたものである。
【００２１】
これらの電極１２と対向部１６とはＰＢＴ樹脂、ポリカーボネート、ＰＰＳ樹脂等の絶縁材料からなる支持枠１５に固定されている。そして電極１２と対向部１６との間には１０００Ｖ／ｍｍの電界強度で高電圧が印加され、イオン化が行われる。
【００２２】
本実施の形態によれば、上記の構成のように、高酸素濃度空気の供給手段として酸素富化装置３によって、酸素濃度が約３０％という通常の空気の酸素濃度の約２１％に対して約１．４倍の高酸素濃度空気が放電を行う電極１２の周囲に送られるので、通常の空気中で放電を行う場合に比べて、約１．４倍の量のＯ２イオンやＯＨイオンを発生させることが出来る。このようにマイナスイオンの量を増やすことによって、イオン発生装置１の消臭、除菌性能を改善するという効果が得られるものである。
【００２３】
また、本実施の形態によれば高酸素濃度空気の供給手段として酸素富化装置３を用いることによって、ボンベ等から酸素ガスを供給する方法に比べて安価に高酸素濃度空気を供給することが出来るものである。
【００２４】
（実施の形態２）
実施の形態２は、実施の形態１の酸素富化装置３に用いる気体選択膜２１の材料が異なる以外は実施の形態１と同じである。
【００２５】
詳しく説明すると、酸素富化装置３に用いる気体選択膜２１の材料を、実施の形態１の一置換ポリジフェニルアセチレンに換えて、二置換ポリジフェニルアセチレン、またはポリオルガノシロキサンあるいはその誘導体、またはポリ４−メチルペンテンあるいはその誘導体、またはポリトリメチルシリルプロピンあるいはその誘導体の何れかを主成分としたもので、これらの材料は一置換ポリジフェニルアセチレンと同じく、何れも空気中の酸素を富化すると共に、空気中の水分を富化することが出来、酸素富化装置３に空気中の水分の富化手段を具備させることが出来る。
【００２６】
本実施の形態によれば、上記の構成のように、高酸素濃度空気の供給手段として酸素富化装置３を用いて、酸素濃度が約３０％という通常の空気の酸素濃度の約２１％に対して約１．４倍の高酸素濃度空気が放電を行う電極１２の周囲に送られるので、通常の空気中で放電を行う場合に比べて約１．４倍の量のＯ２イオンやＯＨイオンを発生させることが出来、更に、酸素富化装置３に空気中の水分の富化手段を具備させ、高酸素濃度空気中の水分を富化することで、Ｏ２イオンやＯＨイオンに水の粒子が付着し易くなり、イオンの寿命が延び、その結果、イオン発生装置の消臭、除菌性能を改善するという効果が得られるものである。
【００２７】
（実施の形態３）
実施の形態３は、静電霧化装置３１の実施形態で、イオン発生部２が静電霧化部３２となり、その構成が異なる以外は、実施の形態１と同じである。
【００２８】
詳しく説明すると、静電霧化部３２は、図４に示すように電極４２とこの電極４２に対向する位置に設けられた対向部４６と、電極４２の下部に設けられ、熱電素子５１と冷却部５２と放熱部５３とを有するペルチェユニット５０と、支持枠４５から構成されている。電極４２は、アルミニウムや銅、チタン、タングステン、ステンレス等の電導性の高い材料を用いてその主体部４１が円柱状を成すように形成されたものであり、主体部４１の先に尖鋭形状の先端部４３を形成し、基端側には支持枠４５に固定するための主体部よりも大径の挟持部４４が形成されている。対向部４６は電極４２と同様のアルミニウムや銅、チタン、タングステン、ステンレス等の電導性の高い材料を用いてリング状に形成されたものである。これらの電極４２と対向部４６とはＰＢＴ樹脂、ポリカーボネート、ＰＰＳ樹脂等の絶縁材料からなる支持枠４５に固定されている。ペルチェユニット５０は電極４２の先端部４３に水を供給する水供給手段で、冷却部５２が電極４２の挟持部４４の底面に密着するように設けられ、熱電素子５１に通電することによって電極４２を約５℃に冷却し、冷却された電極４２の先端部４３に空気中の水分を結露、保持するものである。そして電極４２と対向部４６との間には電圧印加部ＨＶから１０００Ｖ／ｍｍの電界強度で高電圧が印加され、静電霧化が行われる。
【００２９】
本実施の形態によれば、上記の構成のように、高酸素濃度空気の供給手段として酸素富化装置３を用いて、酸素濃度が約３０％という通常の空気の酸素濃度の約２１％に対して約１．４倍の高酸素濃度空気が放電を行う電極４２の周囲に送られるので、通常の空気中で放電を行う場合に比べて、約１．４倍の量のＯ２ラジカルやＯＨラジカルが水の微粒子に包み込まれたマイナスイオンミストを発生させることが出来る。
【００３０】
このようにマイナスイオンミストの量を増やすことによって、静電霧化装置の消臭、除菌性能を改善するという効果が得られるものである。
また、本実施の形態によれば高酸素濃度空気の供給手段として酸素富化装置３を用いることによって、ボンベ等から酸素ガスを供給する方法に比べて安価に高酸素濃度空気を供給することが出来るものである。
【００３１】
（実施の形態４）
実施の形態４は、図３に示す酸素富化装置３に用いる気体選択膜２１の材料が異なる以外は実施の形態３と同じである。
【００３２】
詳しく説明すると、酸素富化装置３に用いる気体選択膜２１の材料を、実施の形態３の一置換ポリジフェニルアセチレンに換えて、二置換ポリジフェニルアセチレン、またはポリオルガノシロキサンあるいはその誘導体、またはポリ４−メチルペンテンあるいはその誘導体、またはポリトリメチルシリルプロピンあるいはその誘導体の何れかを主成分としたもので、これらの材料は一置換ポリジフェニルアセチレンと同じく、何れも空気中の酸素を富化すると共に、空気中の水分を富化することが出来、酸素富化装置３に空気中の水分の富化手段を具備させることが出来る。
【００３３】
本実施の形態によれば、上記の構成のように、高酸素濃度空気の供給手段として酸素富化装置３を用いて、酸素濃度が約３０％という通常の空気の酸素濃度の約２１％に対して約１．４倍の高酸素濃度空気が、放電を行う電極４２の周囲に送られるので、通常の空気中で放電を行う場合に比べて、約１．４倍の量のマイナスイオンミストを発生させることが出来る。
【００３４】
このようにマイナスイオンミストの量を増やすことによって、静電霧化装置の消臭、除菌性能を改善するという効果が得られるものである。
更に、電極４２の先端部４３に供給される水の量は、熱電素子５１への印加電圧と、放電を行う電極４２の周囲の空気の湿度とによって支配され、空気の湿度が高ければ小さな印加電圧で必要な量の水を供給することが出来る。従って本実施の形態のように酸素富化装置３に空気中の水分の富化手段を具備させ、水分を富化した湿度の高い高酸素濃度空気を電極４２の周囲に送ることで、電極４２の先端部４６に水を供給するための電力の消費量を低減することが出来るものである。
【００３５】
（実施の形態５）
実施の形態５は、図５に示すように車両６０における本発明の空調装置の実施形態で、空調装置６１は酸素富化装置３と、イオン発生部２と、送風路７０、７１、７２、７３、７４とから構成されている。
【００３６】
詳しく説明すると、図５において、酸素富化装置３は居室６２とはシート６３や内装材６４等で隔離された居室６２外のトランクルーム６５に配置されている。この酸素富化装置３はイオン発生部２に高酸素濃度空気を供給するための手段で、トランクルーム６５内の空気を取り込む送風路７０と、酸素富化装置に内蔵されたポンプによって送り出された高酸素濃度空気が通過する送風路７１が接続されている。高酸素濃度空気が通過する送風路７１は途中で２方向に分岐し、一方の送風路７２はこの送風路７２内にイオン発生部２が設けられ、後席６５の後部に設けられた居室６２内への噴出し口７７に接続されている。他方の送風路７３は、車両前部へと導かれ、この送風路７３内にイオン発生部２が設けられている。このイオン発生部２より下流側の送風路７４は、主空調装置のエバポレータ７５より下流の、空調空気が通過する送風路７６に合流するように接続されている。そしてイオン化された空気は空調空気と共にこの送風路７６に繋がる居室６２前部に設けられた噴出し口７８から居室内に噴出される。
【００３７】
上記２箇所に設けられたイオン発生部２は、図２に示すように、電極１２とこの電極１２に対向する位置に設けられた対向部１６と支持枠１５から構成されている。電極１２は、アルミニウムや銅、チタン、タングステン、ステンレス等の電導性の高い材料を用いてその主体部１１が円柱状を成すように形成されたものであり、主体部１１の先に尖鋭形状の先端部１３を形成し、基端側には支持枠１５に固定するための主体部１１よりも大径の挟持部１４が形成されている。対向部１６は電極１２と同様のアルミニウムや銅、チタン、タングステン、ステンレス等の電導性の高い材料を用いてリング状に形成されたものである。これらの電極１２と対向部１６とはＰＢＴ樹脂、ポリカーボネート、ＰＰＳ樹脂等の絶縁材料からなる支持枠１５に固定されている。そして電極１２と対向部１６との間には１０００Ｖ／ｍｍの電界強度で高電圧が印加され、この電極１２に対向して位置するように設けられた対向部１６との間で放電するようにしたものである。
【００３８】
本実施の形態によれば、イオン発生部２を上記の構成のように、酸素富化された空気が通過する送風路７２、７３内に設けることにとって、電極１２の周囲に高酸素濃度空気が供給されるので、通常の空気中で放電を行う場合に比べて、Ｏ２イオンやＯＨイオンの量を多く発生させることが出来る。このようにマイナスイオンの量を増やすことによって、空調装置の消臭、除菌性能を改善するという効果が得られるものである。
【００３９】
また、本発明の実施の形態によれば、イオン発生部２より下流の送風路７４を主空調装置のエバポレータ７５より下流の送風路７６に合流させることによって、マイナスイオンと結合している水がエバポレータ７５によって除去されないので、イオン状態が保たれ、主空調装置によって調整された空気と共に同じ噴出し口７８から大量のマイナスイオンを居室６２内に供給することが出来るものである。
【００４０】
また、本実施の形態によれば、酸素富化装置３が居室６２以外のトランクルーム６５から空気を取り込むようにしたことで、車両の狭い居室に多人数が乗車し、居室６２内の酸素濃度が低下した場合や、主空調装置の使用で居室６２内の湿度が低下した場合に、少なくとも居室６２内よりも酸素濃度の高い空気、および湿度の高い空気を取り込むことが出来るため、酸素富化或いは水分富化能力の低下を最低限に抑えることができ、これによってマイナスイオンの発生量の低下を抑えることができものである。
【００４１】
（実施の形態６）
実施の形態６は、イオン発生部２が静電霧化部３２となり、その構成が異なる以外は、実施の形態５と同じ空調装置の実施形態である。
【００４２】
静電霧化部３２は、図４に示すように電極４２とこの電極４２に対向する位置に設けられた対向部４６と、電極４２の下部に設けられ、熱電素子５１と冷却部５２と放熱部５３とを有するペルチェユニット５０と、支持枠４５から構成されている。電極４２は、アルミニウムや銅、チタン、タングステン、ステンレス等の電導性の高い材料を用いてその主体部４１が円柱状を成すように形成されたものであり、主体部４１の先に尖鋭形状の先端部４３を形成し、基端側には支持枠４５に固定するための主体部よりも大径の挟持部４４が形成されている。対向部４６は電極と同様のアルミニウムや銅、チタン、タングステン、ステンレス等の電導性の高い材料を用いてリング状に形成されたものである。これらの電極４２と対向部４６とはＰＢＴ樹脂、ポリカーボネート、ＰＰＳ樹脂等の絶縁材料からなる支持枠４５に固定されている。ペルチェユニット５０は電極４２の先端部４３に水を供給する水供給手段で、冷却部５２が電極４２の挟持部４４の底面に密着するように設けられ、熱電素子５１に通電することによって電極４２を約５℃に冷却し、冷却された電極４２の先端部４３に空気中の水分を結露、保持するものである。そして電極４２と対向部４６との間には１０００Ｖ／ｍｍの電界強度で高電圧が印加され、静電霧化が行われる。
【００４３】
本実施の形態によれば、静電霧化部３２を上記の構成のように、酸素富化された空気が通過する送風路７２、７３内に設けることにとって、電極４２の周囲に高酸素濃度空気が供給されるので、通常の空気中で放電を行う場合に比べて、Ｏ２ラジカルやＯＨラジカルが水の微粒子に包み込まれたマイナスイオンミストの量を多く発生させることが出来る。このようにマイナスイオンミストの量を増やすことによって、空調装置の消臭、除菌性能を改善するという効果が得られるものである。
【００４４】
また、本発明の実施の形態によれば、静電霧化部３２より下流の送風路７４を主空調装置のエバポレータ７５より下流の送風路７６に合流させることによって、ラジカルを包み込んでいる水の微粒子がエバポレータ７５によって除去されないので、ラジカル状態が保たれ主空調装置によって調整された空気と共に同じ噴出し口７８から大量のマイナスイオンミストを居室６２内に供給することが出来るものである。
【００４５】
また、本実施の形態によれば、酸素富化装置３が居室６２以外のトランクルーム６５から空気を取り込むようにしたことで、車両の狭い居室に多人数の人間が乗車し居室６２内の酸素濃度が低下した場合や、主空調装置の使用で居室６２内の湿度が低下した場合に、少なくとも居室６２内よりも酸素濃度の高い空気、或いは湿度の高い空気を取り込むことが出来るため、酸素富化或いは水分富化能力の低下を最低限に抑えることができ、これによってマイナスイオンミストの発生量の低下を抑えると共に、電極４２の先端部４３に水を供給するための電力の消費量を抑えることができものである。
【００４６】
（実施の形態７）
実施の形態７は実施の形態３、４および６の静電霧化部３２の電極４２の先端部４３に水を供給する水供給手段を他の形態とした静電霧化の例で、図６に基づいて説明すると、水溜め部８１と、下端を水溜め部８１内の水に浸している複数本の多孔質体からなる棒状の搬送体８２と、これら搬送体８２の保持及び水に対する電圧の印加のための水印加電極８４と、絶縁体からなる保持部８６によって保持されているとともに上記複数本の搬送体８２の先端部８７と対向する対向部８３と、上記水印加電極８４と対向部８３との間に高電圧を印加する電圧印加部８５とからなるもので、対向部８３と水印加電極８４は共にカーボンのような導電材を混入した合成樹脂やＳＵＳのような金属で形成されている。
【００４７】
また、上記搬送体８２は多孔質体で形成されてその上端が針状に尖った先端部８７となっているもので、複数本、図示例では６本の搬送体８２が水印加電極８４に取り付けられている。これら搬送体８２は水印加電極８４の中央８５を中心とする同心円上に等間隔で配置されて、上部が水印加電極８４よりも上方に突出し、下部は下方に突出して上記水溜め部８１内に入れられた水と接触する。
【００４８】
対向部８３は、中央に開口部を有するとともに、この開口部の縁が上方から見た時、前記複数本の搬送体８２の先端部８７を中心とする複数の同一径の円弧Ｒを他の円弧で滑らかにつないだものとなっている。そして多孔質体で形成されている搬送体８２が毛細管現象で水を吸い上げている時に、水印加電極８４に電圧印加部８５から７００〜１２００V／ｍｍの高電圧を印加することによって、搬送体８２の先端部８７と対抗部８３との間で放電を起こさせ静電霧化が行われるものである。
【００４９】
なお、本実施の形態を含め、本発明の全ての実施の形態において、イオン発生部または静電霧化部で放電を起こさせるために、放電電極に対向するように対向部を設けこの間で放電させるようにしたが、放電電極のみでも安定して放電が起こる構成であれば、この対向電極を設けなくても良い。
【産業上の利用可能性】
【００５０】
本発明の、イオン発生装置、静電霧化装置、およびこれらを用いた空調装置は、従来に比べて、マイナスイオンやマイナスイオンミストが多く得られ、空気清浄機やエアコンディショナー等に利用した場合、その消臭、除菌能力を向上させることが出来るものである。
【図面の簡単な説明】
【００５１】
【図１】本発明の実施の形態におけるイオン発生装置または静電霧化装置の構成図
【図２】本発明の実施の形態におけるイオン発生部を示す断面図
【図３】本発明の実施の形態における酸素富化装置を示す図
【図４】本発明の実施の形態における静電霧化部を示す断面図
【図５】本発明の実施の形態における空調装置の構成図
【図６】本発明の実施の形態における水供給手段の他の例を示す斜視図
【符号の説明】
【００５２】
１    イオン発生装置
２    イオン発生部
３    酸素富化装置（供給手段）
１２、４２    電極
１３、４３    先端部
３１    静電霧化装置
３２    静電霧化部
５０    ペルチェユニット（水供給手段）
６１  空調装置
７０、７１、７２、７３、７４  送風路
【図１】
2009123564.tif 000003
【図２】
2009123564.tif 000004
【図３】
2009123564.tif 000005
【図４】
2009123564.tif 000006
【図５】
2009123564.tif 000007
【図６】
2009123564.tif 000008